(57)【要約】【課題】安価な光源を使用でき、脱毛処理時のシーケンスを簡略にして、短時間で脱毛処理を行うことができるとともに、照射の不要な部位へ光を照射しないようにして、脱毛処理の安全性を向上させることができる光脱毛装置を提供する。【解決手段】  発光部２は、光を反射する導光板で形成されており、内部に光源を有する。光源から発せられた光は導光板で反射しながら、発光部２の光出口方向、すなわち光反射部３の方向に導かれる。体毛位置の上方に光反射部３の反射板が位置していない場合は、発光部２の光出口に反射面を面するように位置させて、光を皮膚面に照射させないようにする。一方、検出器５で検出した情報に基づいて体毛位置の上方に反射板が位置している場合には、発光部２からの出射光方向に対して反射面を傾斜させて光を体毛位置に導く。【選択図】        図１
2006271566.tif 000002
【特許請求の範囲】
【請求項１】
皮膚面の体毛位置を検出する検出器と、
光を反射し回転駆動可能な反射板と、
光源を有し、この光源の周囲が光を前記反射板方向へ導く導光板で覆われて導光路が形成された発光部とを備え、
前記反射板は前記導光路の導光出口に反射面が面するように配置され、前記検出部が体毛位置を検出したとき、前記反射板を回転させて反射角度を変化することにより、前記発光部からの光を該反射板で反射させて検出された体毛位置に導くことを特徴とする光脱毛装置。
【請求項２】
前記発光部は、複数の導光路を形成するように導光板で仕切られており、前記複数の各導光路に対応した反射板が複数配置され、検出された体毛位置に対応する反射板を回転駆動させることを特徴とする請求項１記載の光脱毛装置。
【請求項３】
前記複数の反射板は、皮膚面に沿ってライン状に配置されていることを特徴とする請求項２記載の光脱毛装置。
【請求項４】
前記ライン状に配置された反射板は、皮膚面に近い側の反射板と皮膚面から遠い側の反射板との２段で構成されていることを特徴とする請求項３記載の光脱毛装置。
【請求項５】
前記反射板は、直交する２軸の回転軸を有し、これらの各回転軸の回りに回転駆動することを特徴とする請求項１〜請求項４のいずれか１項に記載の光脱毛装置。
【請求項６】
前記反射板の周囲に、反射板の回転動作に追従する冷却媒体送出管を設け、該反射板の回転動作に連動して前記冷却媒体送出管から冷却媒体を外部に放出することを特徴とする請求項１〜請求項５のいずれか１項に記載の光脱毛装置。
【発明の詳細な説明】
【技術分野】
【０００１】
本発明は、光を用いた脱毛装置に関する。
【背景技術】
【０００２】
従来、体毛を除去する装置としては、レーザ源と、処理される皮膚上の目標位置にレーザビームを位置決めするための調整可能な可傾式ミラーで構成されたレーザマニュピレータと皮膚の画像を検出する画像センサとを有しており、画像センサによって検出された皮膚上の画像を所定の領域に分割し、レーザ光を各領域内の体毛の存在位置にレーザマニュピレータを用いてレーザ光の反射角度を変化させて位置合わせを行い、レーザビームを照射して体毛を除去するものが知られている。また、皮膚面を移動させる場合には、オペレータが手動で次の脱毛対象位置に移動させる。
【０００３】
【特許文献１】特表２００２−５４１９０６号公報
【特許文献２】特開２０００−２４５７４５号公報
【発明の開示】
【発明が解決しようとする課題】
【０００４】
しかし、上記従来の技術では、レーザ等のコヒーレント光を用いているので、装置全体が高価なものとなっていた。また、脱毛処理のシーケンスとしては、皮膚面の状態を画像センサで検出して体毛の位置を認識し、可傾式ミラーを駆動してレーザビーム方向の位置決めを行った後、レーザ源を駆動してレーザ光を体毛位置に照射するようにしており、レーザ光照射が必要のない部位にレーザ光を照射しないためにも各体毛位置への位置決めが終わるまではレーザ源は駆動させずに、位置決め後にレーザ源を駆動するようにし、検出された各体毛についてこのシーケンスを繰り返しているので、シーケンスが複雑で、脱毛の処理時間が長くなっていた。
【０００５】
さらに、脱毛処理の効率を高めるために、皮膚の広い範囲に光ビームを照射する場合には、脱毛処理に必要な毛根位置近辺以外に光が照射されると皮膚にダメージを与える可能性がある。光を皮膚に照射した場合、肌状態により温度上昇が異なり、特に、ホクロなどのように皮膚色が濃いと、皮膚面で光エネルギーが吸収され温度上昇して火傷になりやすい。したがって、体毛や毛根位置近辺を選択的に照射することが必要である。
【０００６】
本発明は、上述した課題を解決するために創案されたものであり、安価な光源を使用でき、脱毛処理時のシーケンスを簡略にして、短時間で脱毛処理を行うことができるとともに、照射の不要な部位へ光を照射することなく、体毛や毛根位置近辺への光照射を行い、脱毛処理の安全性を向上させることができる光脱毛装置を提供することを目的としている。
【課題を解決するための手段】
【０００７】
上記目的を達成するために、請求項１記載の発明は、皮膚面の体毛位置を検出する検出器と、光を反射し回転駆動可能な反射板と、光源を有しこの光源の周囲が光を前記反射板方向へ導く導光板で覆われて導光路が形成された発光部とを備え、前記反射板は前記導光路の導光出口に反射面が面するように配置され、前記検出部が体毛位置を検出したとき、前記反射板を回転させて反射角度を変化することにより、前記発光部からの光を該反射板で反射させて検出された体毛位置に導くことを特徴とする光脱毛装置である。
【０００８】
また、請求項２記載の発明は、前記発光部は、複数の導光路を形成するように導光板で仕切られており、前記複数の各導光路に対応した反射板が複数配置され、検出された体毛位置に対応する反射板を回転駆動させることを特徴とする請求項１記載の光脱毛装置である。
【０００９】
また、請求項３記載の発明は、前記複数の反射板は、皮膚面に沿って１列状に配置されていることを特徴とする請求項２記載の光脱毛装置である。
【００１０】
また、請求項４記載の発明は、前記ライン状に配置された反射板は、皮膚面に近い側の反射板と皮膚面から遠い側の反射板との２段で構成されていることを特徴とする請求項３記載の光脱毛装置である。
【００１１】
また、請求項５記載の発明は、前記反射板は、直交する２軸の回転軸を有し、これらの各回転軸の回りに回転駆動することを特徴とする請求項１〜請求項４のいずれか１項に記載の光脱毛装置である。
【００１２】
また、請求項６記載の発明は、前記反射板の周囲に、反射板の回転動作に追従する冷却媒体送出管を設け、該反射板の回転動作に同期して前記冷却媒体送出管から冷却媒体を外部に放出することを特徴とする請求項１〜請求項５のいずれか１項に記載の光脱毛装置である。
【発明の効果】
【００１３】
本発明によれば、安価な光源を使用でき、光源は継続して点灯させておけば良く、所定の部位への光照射は反射板の駆動に左右されるため、体毛位置に対応する反射板を駆動させることにより、体毛位置へ光を照射して脱毛処理を行えるので、脱毛処理時のシーケンスを簡略にして、短時間で脱毛処理を行うことができるとともに、照射の不要な部位へ光を照射することなく、体毛や毛根位置近辺への光照射を行い、脱毛処理の安全性を向上させることができる。
【００１４】
また、広範囲の脱毛処理を短時間に行うことができ、選択的に必要な部位にのみ脱毛用の光を照射することができるとともに、光照射の角度や位置も調節することができる。
【発明を実施するための最良の形態】
【００１５】
以下、図面を参照して本発明の一実施形態を説明する。図１は本発明による光脱毛装置の構成を、図２は図１のＡ−Ａ断面を示す。
【００１６】
装置本体は、ケース１３で覆われており、皮膚面に光を照射したり、皮膚面からの反射光を装置内部に取り込むために照射窓１が皮膚面側に設けられている。照射窓１は、開放されていても良く、また、内面を透明ガラス等で形成するようにしても良い。
【００１７】
ケース１３の内部には、共振バネ１２、発光部２、光反射部３、磁界発生部４、検出器５、駆動用磁石６、走査ユニット７、固定子９を有するリニアモータ８、電源１０、制御基板１１等が取り付けられている。走査ユニット７には、発光部２、光反射部３、磁界発生部４、検出器５、駆動用磁石６が配設されている。走査ユニット７は、駆動用磁石６と固定子７を有するリニアモータ８との相互作用により移動方向１の方向に動き、共振バネ１２の作用により滑らかに均一の動きになるようになっている。
【００１８】
また、走査ユニット７に取り付けられた発光部２、光反射部３、磁界発生部４、検出器５は、所定の関係を保ったまま移動方向１へ一体で移動する。移動方向１と直交する方向へは、操作者が手動により移動させる。検出部４は、カメラモジュール等のように皮膚面の状態を検出、撮像できるデバイスが用いられる。
【００１９】
電池等からなる電源１０は、制御基板１１、リニアモータ８、検出器５、磁界発生部４、光反射部３、発光部２等に電気を供給するもので、図示はしていないが適宜配線がなされている。  制御基板１１は、ＣＰＵやメモリ等が搭載されており、モータの制御や、発光部２、検出器５、磁界発生部４、光反射部３の制御等、装置全体の制御を行うとともに、収集されたデータをメモリに記憶させておき、適宜演算等の動作を行う。
【００２０】
発光部２は、光源２１、導光板２２、導光路２３等により構成されており、光源２１にはキセノンランプ等が、導光板２２には光を反射する光反射体が用いられる。光源２１は導光板２２で覆われ、光源２１から発せられた光は導光板２２で反射しながら、発光部２の光出口方向、すなわち光反射部３の方向に導かれるようになっている。光反射部３は、図２に示すように、光を反射する反射板３１が複数個ライン状に並べられた構成となっている。
【００２１】
また、発光部２の内部の空間は、仕切られた導光板２２によって、複数の導光路２３が形成されており、各導光路内に入射した光は、相互に交わることなく発光部２の光出口まで進む。光源２１には安価な光源でインコヒーレント光を発生するものを用いているので、上記のように光源２１から放射された光を効率的に集光するような構造としている。
【００２２】
図３、図４に光源２１から放射された光と反射板３１との関係を示す。光源２１の発光した光は、３６０度方向に放射されるが、光源２１を覆っている導光板２２で放射光が反射され、反射を繰返しながら導光路２３内を進み、発光部２の出射口に集光される。
【００２３】
出射口に集光された光は、走査ユニット７の中の支持部３３により固定された反射板３１に向かって入射するが、検出器５によって検出された体毛位置の上方に反射板３１が位置していない場合には、図３に示すように反射板３１は反射面を走査ユニット７の移動方向１に対して垂直方向、すなわち皮膚面に対して反射面をほぼ垂直方向、発光部２からの出射光方向に対しても反射面をほぼ垂直方向に維持し、発光部２からの出射光を反射角度０度に近い角度で逆戻りさせ、発光部２の内部に閉じ込めて、光を皮膚面に照射させないようにする。
【００２４】
一方、検出器５で検出した情報に基づいて体毛位置の上方に反射板３１が位置している場合には、図４に示すように反射板３１は反射面を走査ユニット７の移動方向１に対して４５度方向、すなわち皮膚面に対して反射面を約４５度方向、発光部２からの出射光方向に対しても反射面をほぼ４５度方向に回転させて光を走査ユニット７の移動方向（移動方向１）に対して垂直方向に光を導き皮膚面に存在する体毛を照射することで、発毛細胞を刺激する。
【００２５】
以上のように、反射板３１は、光源２１からの光を皮膚面に照射するか、発光部２内に閉じ込めて外部に放射しないかを切り替える機能を有しており、これは光源２１をオン−オフするのと同等の役割を果す。
【００２６】
例えば、導光板２２によって仕切られている仕切り幅は数100μm〜数mm程度、反射板３１の幅はこの幅に応じて形成されており、各反射板３１は別個独立に駆動可能とすることができる。また、体毛の位置を確認するための撮像領域は５×５mm程度の領域とする。
【００２７】
光反射部３と磁界発生部４の詳細を図５、図６に示す。図６のように、光反射部３は反射板３１をライン状に配置した構成、磁界発生部４は磁界発生器４１をライン状に配置した構成で、各反射板３１の上方に配置された磁界発生器４１と反射板３１とは対で並べられている。
【００２８】
この対の構成の詳細が図５に示されている。反射板３１は可動ミラーで、光反射部３は例えばミラーアレイにより構成されている。反射板３１はシリコン等の基板の表面側に反射面（ミラー面）があり、ミラー面と逆側ないしは基板の中にコイルパターン３２が形成されている。反射板３１は回転軸３４を介して支持部３３により走査ユニット７に固定されており、回転運動が可能な構成となっている。反射板３１は少なくとも３０度〜５０度までは回転により角度を変化できるようになっている。
【００２９】
コイルパターン４２が形成された磁界発生器４１は、走査ユニット７に固定されている。コイルパターン４２に電流を流すことで磁界発生器４１に磁界が図の矢印方向に発生し、この状態でコイルパターン３２に電流を流すことで、反射板３１にも磁界が図の矢印方向に発生し、磁界発生器４１の磁界と反射板３１の磁界とが相互に作用することにより、反射板３１が回転運動を行う。
【００３０】
したがって、ライン状に一列に配置された反射板３１のうち、角度を変更したい反射板と対になっている磁界発生器のコイルパターン４２に電流を流して磁界を発生させ、反射板のコイルパターン３２にも電流を流し磁界を発生させて回転駆動させる。
【００３１】
次に、本発明の光脱毛装置の動作を説明する。図７は、発光部２と光反射部３の動作の一例を示し、図８は動作のフローチャートを、図９はハードウェアの概略構成を示す。ＣＰＵやＤＳＰ等から構成される制御部１４は、光脱毛装置の各部の制御を行い、記憶部１５はメモリ等から構成される。制御部１４と記憶部１５は、制御基板１１に実装されている。入出力１６は入力手段としてスイッチ等により、出力手段として表示ランプ等により構成されており、駆動部８はリニアモータ８等により構成される。
【００３２】
まず、ユーザが光脱毛装置の起動時に装置に設けられているスイッチ等を押すと、装置各部に電源１０から電源が供給される。脱毛処理を開始したい場合には、再度スイッチを押す。この２回目に押された脱毛処理開始のトリガ信号を制御部１４で検出する。トリガ信号が検出されると、制御部１４は検出器５に撮像（検出）指示信号を送る。この制御信号により検出器５は皮膚面の状態を撮像して撮像データを検出情報として制御部１４に送信する（Ｓ１）。
【００３３】
撮像信号は、制御部１４で画像処理され、体毛又は毛穴の認識処理を行う（Ｓ２）。体毛又は毛穴の認識処理が終了すると、処理結果は記憶部１５に記憶させられる。検出器５により検出した体毛位置に対応する反射板３１のみを回転駆動することで、発光部２からの光を皮膚面の体毛位置に導き、複数箇所に同時に照射する。この状態の一例が図７に示されており、図では一列に並べられている８枚の反射板のうち、最も手前の反射板と、手前から６番目の反射板のみ約４５度に傾けられており、傾けられた反射板の直下に体毛が存在していることがわかる。
【００３４】
次に駆動部８を駆動して、１ピッチ分走査ユニット７を移動させる（Ｓ５）。走査ユニット７が移動方向１の最終位置まで移動が完了した場合（Ｓ６YES）は、所定範囲の脱毛処理が終了したので、この完了信号が制御部１４から入出力部１６に送信され、入出力部１６の表示ランプ等が点灯する（Ｓ７）。一方、移動方向１の最終位置まで移動が完了していない場合（Ｓ６NO）は、上記Ｓ１〜Ｓ５までの動作を繰り返す。次に、皮膚面の他の領域の脱毛処理を行いたい場合には、ユーザが光脱毛装置を手動により移動させて上記Ｓ１〜Ｓ７の処理を行う。
【００３５】
なお、上記の動作については、例えば、移動ピッチは１５０〜２５０μｍ、移動方向１への移動速度は５０〜５００ｍｍ／ｓ、移動方向１への１ストローク長は５〜２０ｍｍ、照射スポット径１００〜１０００μｍ、照射強度１５０〜２００ｍＷ／（１００μｍ）２、照射時間１０〜４０ｍｓ程度を想定している。
【００３６】
図１０は、反射板の回転軸を２軸にした構成を示す。各反射板が第１回転方向と第２回転方向に回転できるようになっている。第１回転方向の回転軸と第２回転方向の回転軸とは直交しており、図に示すように第１回転方向へ反射板３１が回転すると照射光が移動して第１回転方向による照射光移動範囲をカバーし、第２回転方向へ反射板３１が回転すると照射光が移動して第２回転方向による照射光移動範囲をカバーするので、光の照射領域が２次元状に拡大される。
【００３７】
図１１は、反射板の２軸回転機構の詳細な構成と駆動状態を示す。図１１（ａ）に示すように、反射板３１の表面に光を反射する反射体３５が形成されており、回転のベースとなる第１回転体３６、第２回転体３７が取り付けられている。第２回転体３７は反射体３５に固定されている。
【００３８】
図１１（ｂ）は、第１回転体３６を第１回転方向に回転させて反射板３１が傾斜した状態を示す。図１１（ｃ）は、図１１（ｂ）の状態からさらに第２回転体３７を第２回転方向に回転させて反射体３５の面が手前に向いている状態を示す。
【００３９】
駆動方法については、例えば、上述したようなコイル等を用いた電磁駆動方式、または静電駆動方式等で行われ、第１回転方向、第２回転方向ともに少なくとも３０〜５０度の回転範囲とすることができる。上記のように、反射板３１を２方向に回転駆動させることで、照射光の角度や照射位置を２次元的に変更できるので、毛穴周囲や体毛周囲に自由に光を照射でき、脱毛処理効果を高めることができる。
【００４０】
ところで、脱毛処理の効果を高めるためには、脱毛用の光を発毛細胞めがけて照射することが必要となる。発毛細胞位置は、毛穴位置に比較的近いと考えられるので、毛穴位置を特定した後、毛穴位置を含む周辺を光照射する。一般的に体毛が生えている部位はしわの交点位置にあるので、認識した体毛の両端でしわの交点に対応する端部は毛穴位置と考えられる。この基準を用いて、体毛が斜め方向に生えていることを認識した場合、次のように生えている方向に対応させて毛穴位置方向に光を照射する。
【００４１】
まず、検出器で皮膚面を撮像し、次にしわを検出し、しわが重なる位置に存在する体毛位置を毛穴位置側と認識する。そして、反射板３１を回転駆動させながら任意の角度に調整を行い、毛穴位置側へ光を照射する。
【００４２】
このように、毛穴位置を特定することにより、毛穴位置方向に照射光が向くように反射板の３１を任意角度に調整することで、毛穴位置だけでなく発毛細胞や毛根位置を含むより広い範囲に脱毛用光を照射することができる。
【００４３】
ところで、光を皮膚に照射した場合、肌状態により温度上昇が異なり、特に、ホクロなどのように皮膚色が濃いと、皮膚面で光エネルギーが吸収され温度上昇して火傷になりやすい。したがって、皮膚色が黒い場合は光照射の時間を短くし、逆に白い場合には光照射の時間を長くして光エネルギー量を調整するようにしても良い。
【００４４】
上記皮膚色に応じた光エネルギー量調整の動作を図１２に示す。最初のトリガ信号の発生は、図８と同じであるので説明を省略する。トリガ信号が検出されると、制御部１４は検出器５に撮像（検出）指示信号を送る。この制御信号により検出器５は皮膚面の状態を撮像して撮像データを検出情報として制御部１４に送信する（Ｓ１１）。撮像信号は、制御部１４で画像処理され、体毛又は毛穴の認識処理を行う（Ｓ１２）。体毛又は毛穴の認識処理が終了すると、処理結果は記憶部１５に記憶させられる。
【００４５】
また、検出された体毛の周囲における体毛以外の領域の平均輝度レベルを算出する（Ｓ１３）。検出器５の検出信号を０Ｖ〜３．３Ｖとし、Ａ／Ｄ変換して０Ｖ〜３．３Ｖを０〜２５５とすると輝度レベル２５５で白色とする。１４０未満を黒肌と判断し、例えば、輝度レベルが１４０未満かどうか判定する（Ｓ１４）。輝度レベルが１４０未満の場合（Ｓ１４  YES）、光照射時間を短く（例えば、１０〜２０ｍｓ）設定し（Ｓ１５）、体毛位置に対応する反射板のみを駆動させる。一方、輝度レベルが１４０以上の場合（Ｓ１４  NO）は光照射時間を長く（例えば、２０〜４０ｍｓ）設定し（Ｓ１６）、体毛位置に対応する反射板のみを駆動させる。
【００４６】
次に、発光部２を発光させて光を皮膚面の体毛位置周辺に導く（Ｓ１８）。このように、光照射時間を変化させることで、皮膚面に与える光のエネルギー量を変化させる。駆動部８を駆動して、１ピッチ分走査ユニット７を移動させる（Ｓ１９）。走査ユニット７が移動方向１の最終位置まで移動が完了した場合（Ｓ２０YES）は、所定範囲の脱毛処理が終了したので、この完了信号が制御部１４から入出力部１６に送信され、入出力部１６の表示ランプ等が点灯する（Ｓ２１）。
【００４７】
一方、移動方向１の最終位置まで移動が完了していない場合（Ｓ６NO）は、上記Ｓ１１〜Ｓ１９までの動作を繰り返す。次に、皮膚面の他の領域の脱毛処理を行いたい場合には、ユーザが光脱毛装置を手動により移動させて上記Ｓ１１〜Ｓ２１の処理を行う。
【００４８】
次に、より脱毛効果を高めるために、光源２１の光波長から特に脱毛に効果のある波長域だけを抽出して、皮膚面に照射することを考える。これは、反射板３１の反射体に特定波長帯のみを反射する素材を用いることで実現する。例えば、キセノンランプを発光部２の光源２１に用いた場合には、図１３の破線で示すようなスペクトル分布を有し、幅広い波長域を含んでいる。
【００４９】
脱毛処理に必要な光の波長帯は、６００〜８００ｎｍであるので、この波長帯を反射させるバンドパスフィルター等のフィルターを反射板３１の反射体に適用する。また、このフィルターをそのまま反射体として用いるようにしても良い。６００〜８００ｎｍを反射するフィルターを用いた場合の反射板からの反射光のスペクトルは、図１３の実線に示すような形状となる。
【００５０】
図１４は、反射板を複数列配置した構成を示す。光反射部３は、２列に並んだ反射板３１で構成される。第１列の反射板と第２列の反射板は、上下２段組の反射板列を構成しており、この上下２段組の反射板の数は、導光路２３の数と対応している。発光部２の光出口（光出射口）に、各々の反射面が面するように配置されている。
【００５１】
２列に並んでいるので、体毛位置に対して同時に複数箇所に光を照射することができる。例えば、図１５に示すように、第２列の反射板では体毛の右側、第１列の反射板では体毛の左側というように、体毛を挟んで両側に光を照射する等、１箇所の体毛位置に対して同時に複数方向から光を照射することができ、脱毛効果を高めることができる。また、反射板のラインが１列の場合と同様に、複数の反射板を駆動して複数箇所を同時に照射できる。また、図１１のように、第１列の反射板及び第２列の反射板ともに、各反射板の回転軸を２軸として、照射範囲を２次元的に拡大することもできる。
【００５２】
図１６は図１４の各列の反射板に異なる波長帯を反射する反射体を用いる場合の波長領域を示す。第２列を構成する反射板は脱毛処理に有効な波長帯である６００〜８００ｎｍ、第１列を構成する反射板はマッサージ効果、シミ取りに効果がある１０００ｎｍ以上の波長を反射するように反射体をフィルター等で構成する。
【００５３】
例えば、図１５のように、第１列の反射板と第２列の反射板を同時に駆動すれば、脱毛処理を行うともに、マッサージ処理も同時に行うことができる。
【００５４】
一方、第１列の反射板と第２列の反射板を時間差で駆動することを示すのが図１７である。図１７（ａ）に示すように、最初に第２列の反射板のみを駆動させて６００〜８００ｎｍの反射光を得て体毛位置に導いて脱毛処理を行い、次に、図１７（ｂ）に示すように、第２列の反射板を初期位置に戻し、第１列の反射板のみを駆動して傾斜させることで１０００ｎｍ以上の反射光を得て体毛位置に導いてマッサージ処理を行う。皮膚へのダメージを緩和するとともに、脱毛処理の効果を高める。上記のように第１列の反射板と第２列の反射板を時間差で駆動する場合には、例えば、１ｍｓ〜２００ｍｓの時間差で駆動する。
【００５５】
図１８は、冷却機構を備えた光脱毛装置の構成を、図１９には、図１８のＢ−Ｂ断面の構成を示す。図１、図２と同様の構成となる部分については、同じ符号、名称を付しており、これらの動作の説明等は省略する。図１、図２の構成に加えて冷却ファン５１、冷却ノズル５２が付加された構成となっている。
【００５６】
冷却ファン５１は走査ユニット７内に固定されており、反射板３１の駆動が行われると同時に冷却ファン５１も駆動するようになっている。冷却ノズル５２は、冷却ファン５１と接続されており、反射板３１の背面を通るようにライン状に設置されている。冷却ファン５１は冷却用媒体としての冷却エアを発生し、冷却ノズル５２へ送出する。
【００５７】
図２０に示すように、冷却ノズル５２には反射板３１のすぐ側に冷却媒体送出管としての冷却エア送出ホース５３が取り付けられていて、反射板の駆動により反射光が照射される方向へ冷却エアを放出する構成となっている。したがって、反射板の数と冷却エア送出ホースの数とは同数となる。
【００５８】
図２１に示すように、冷却ノズル５２には孔が開いており、その孔には冷却エア送出ホース５３が取り付けられている。冷却エア送出ホース５３は、冷却ノズル５２内部を流れる冷却エアを外部に放出する。冷却エア送出ホース５３は反射板３１に取り付けられており、反射板３１の動きに追従するように、冷却エア送出ホース５３の一部が収縮可能な形状（図の斜線部分が蛇腹構造）になっている。
【００５９】
反射板３１が回転し、冷却ノズル５２に取り付けられた冷却エア送出ホース５３は、上記蛇腹構造が伸縮することで反射板３１の動作方向に追従するように動作する。図２２に示すように、反射板３１の動作が終了した時、冷却エア送出ホース５３の追従も終了し蛇腹構造が一定状態で固定する。このように、冷却エア送出ホース５３は反射板３１と同方向に先端を向けることができるので、光照射方向（体毛位置方向）と同方向に冷却エアを放出することができる。他方、反射板３１が駆動していない部分の冷却エア送出ホース５３は、発光部２の導光路２３方向に向いているので、冷却エアが発光部２の内部にも放出されて、発光部２を冷却することもできる。
【００６０】
冷却エア送出ホース５３から、光照射方向に対して冷却エアが放出された場合の冷却エア送出方向は、図２２の１点鎖線で示された範囲となり、皮膚面に到達する冷却エアの範囲が、冷却エア到達範囲となる。冷却エア到達範囲は光照射範囲よりも大きく５〜１０mmの範囲内でエアが皮膚面に放出される。
【００６１】
冷却エア送出ホース５３は金属から構成されており、蛇腹機構も同材質より構成されている。冷却エア送出ホース５３の口径は数１０μm〜数mm程度で、冷却時間は数１００ｍｓ程度とすることができ、表皮温度を−１０度程度にまで冷却することもできる。
【００６２】
以上のように、冷却エア送出ホース５３を取り付けて、反射板の動きに追従するようにすることで、脱毛用光が照射された皮膚の温度上昇を防ぎ、体毛の周囲組織へのダメージを防ぐことができる。
【図面の簡単な説明】
【００６３】
【図１】本発明の光脱毛装置の構成を示す図である。
【図２】図１のＡ−Ａ断面を示す図である。
【図３】光源から放射された光と反射板との動作関係を示す図である。
【図４】光源から放射された光と反射板との動作関係を示す図である。
【図５】光反射部と磁界発生部の詳細構成を示す図である。
【図６】光反射部と磁界発生部の詳細構成を示す図である。
【図７】発光部と光反射部の動作の一例を示す図である。
【図８】本発明の光脱毛装置の動作を示すの様子を示すフローチャート図である。
【図９】本発明の光脱毛装置のハードウェア概略構成を示す図である。
【図１０】反射板の回転軸を２軸にした構成を示す図である。
【図１１】反射板の２軸回転機構の詳細な構成を示す図である。
【図１２】皮膚色に応じた光エネルギー量調整の動作を示すフローチャート図である。
【図１３】光源の光波長のうち、特に脱毛に効果のある波長域を抽出した状態を示す図である。
【図１４】反射板を複数列配置した構成を示す図である。
【図１５】図１４の構成で光照射を行う様子を示す図である。
【図１６】各列の反射板に異なる波長帯を反射する反射体を用いる場合の波長領域を示す図である。
【図１７】第１列の反射板と第２列の反射板を時間差で駆動することを示す図である。
【図１８】冷却機構を備えた光脱毛装置の構成を示す図である。
【図１９】図１８のＢ−Ｂ断面の構成を示す図である。
【図２０】反射板と冷却ノズルとの関係を示す図である。
【図２１】冷却エア送出ホースの取り付け状態を示す図である。
【図２２】皮膚面に光照射を行った場合の冷却エアの送出状態を示す図である。
【符号の説明】
【００６４】
１    照射窓
２    発光部
３    光反射部
４    磁界発生部
５    検出器
６    駆動用磁石
７    走査ユニット
８    リニアモータ
９    固定子
１０  電源
１１  制御基板
１２  共振バネ
１３  ケース
【図１】
2006271566.tif 000003
【図２】
2006271566.tif 000004
【図３】
2006271566.tif 000005
【図４】
2006271566.tif 000006
【図５】
2006271566.tif 000007
【図６】
2006271566.tif 000008
【図７】
2006271566.tif 000009
【図８】
2006271566.tif 000010
【図９】
2006271566.tif 000011
【図１０】
2006271566.tif 000012
【図１１】
2006271566.tif 000013
【図１２】
2006271566.tif 000014
【図１３】
2006271566.tif 000015
【図１４】
2006271566.tif 000016
【図１５】
2006271566.tif 000017
【図１６】
2006271566.tif 000018
【図１７】
2006271566.tif 000019
【図１８】
2006271566.tif 000020
【図１９】
2006271566.tif 000021
【図２０】
2006271566.tif 000022
【図２１】
2006271566.tif 000023
【図２２】
2006271566.tif 000024